(57)【要約】本発明による乗物装置に着脱可能な下肢加圧用機器は、上部に使用者が座ることができるサドルが備えられ、下部にメインギアが結合されたフレームと、前記フレームの一側に結合されたハンドル、及び前記使用者が回すことによって前記メインギアを回転させるペダルを含んだ一般的なフィットネス自転車に着脱可能な一対のふくらはぎ加圧用ローラーと、一対のつま先加圧用ローラーを含んだ下肢加圧用機器に関するもので、これによれば、前記ローラーにより規則的に下肢のふくらはぎとつま先を加圧し、下肢の血液循環及び筋肉の弛緩を促進させることができる効果を提供することができる。【選択図】図１【特許請求の範囲】
【請求項１】
上部にサドル（３００）が備えられ、下部にメインギアが結合されたフレーム（６００）と、前記フレーム（６００）の一側に結合されたハンドル、及び使用者が回すことによって前記メインギアを回転させるペダル（４１０、４２０）を含む、フィットネス自転車に結合された下肢加圧用機器において、
一対のふくらはぎ加圧用ローラー（１１０、１２０）と、一対のつま先加圧用ローラー（２１０、２２０）を含み、使用者がペダルを回すに伴って使用者の下肢に一定の圧力を与えることができるようにする下肢加圧用機器。
【請求項２】
一対のふくらはぎ加圧用ローラー（１１０、１２０）は、フィットネス自転車の上部垂直フレーム（６００）に一対の第１弾性リンク（８１０、８２０）によって固定され、ふくらはぎに弾性的に加圧することができる弾性素材で形成された、請求項１に記載の下肢加圧用機器。
【請求項３】
一対のつま先加圧用ローラー（２１０、２２０）は、フィットネス自転車の下部水平フレーム（７００）に一対の第２弾性リンク（９１０、９２０）によって固定され、つま先に弾性的に加圧することができる弾性素材で形成された、請求項１に記載の下肢加圧用機器。
【発明の詳細な説明】
【技術分野】
【０００１】
本発明は、乗物装置に着脱可能な下肢加圧用機器であって、特に利用者が移動用自転車やジム用自転車等のようにギアに結合されたペダルを回転させて運動をする場合に、乗物装置に取付けられた加圧用部材によって、ふくらはぎ及びつま先を加圧することができる機器に関する。
【背景技術】
【０００２】
一般的に乗物装置は、人がその上に乗って移動するか、乗った状態で運動することができるものを通称するものであり、代表的なものとして自転車、すなわち移動用自転車やジム用自転車を例としてあげることができる。このような乗物装置は、移動手段としてだけではなく、有酸素運動等のための運動器具としても多く使われている。しかし、前記のような乗物装置は、ペダルを回すことによって有酸素運動のみをするが、ペダルを回すことに伴う下肢の回転運動により、下肢の特定部位に対して一定圧力で加圧して、血液循環や疲労解消等のような他の機能をすることができない短所がある。
【０００３】
したがって、従来の乗物装置に身体健康のための新しい機能を備えることが要請されている。
【発明の概要】
【発明が解決しようとする課題】
【０００４】
本発明は、前記のような問題点を解決するためのものであり、利用者は、乗物装置に乗りながら有酸素運動だけでなく、ペダルを回すことに伴う下肢の回転及び上下運動により、下肢の特定部位に対して一定圧力で加圧することができる乗物装置に着脱可能な下肢加圧用機器を提供することをその目的とする。
【課題を解決するための手段】
【０００５】
前記目的を達成するための本発明による乗物装置に着脱可能な下肢加圧用機器は、ふくらはぎ加圧用の一対のローラーと、つま先加圧用の一対のローラーで構成され、使用者がペダルを回す場合、ふくらはぎが上下運動及び前後運動をするに伴い、ふくらはぎ加圧用の一対のローラーはふくらはぎの下面を上下及び前後に一定に加圧し、つま先加圧用の一対のローラーはつま先の回転運動をするに伴ってつま先を一定に加圧することができる。
【発明の効果】
【０００６】
本発明の乗物装置に着脱可能な下肢加圧用機器によれば、使用者がサドルに座った状態でペダルを回すと、ふくらはぎが上下運動及び前後運動をするに伴ってふくらはぎ加圧用の一対のローラーはふくらはぎの下面を上下及び前後に一定に加圧し、つま先加圧用の一対のローラーはつま先の回転運動に伴ってつま先を一定に加圧することにより、ローラーの回転運動によって規則的にふくらはぎとつま先を加圧して、下肢の血液循環を円滑にし各種成人病を予防することができる。
【図面の簡単な説明】
【０００７】
【図１】本発明の第１実施例による乗物装置に着脱可能な下肢加圧用機器を概略的に示した正面図である。
【図２】図１の乗物装置に着脱可能な下肢加圧用機器を示した斜視図である。
【図３】本発明の第１実施例による乗物装置に着脱可能な下肢加圧用機器のうち、ふくらはぎ加圧用ローラーを概略的に示した構成図である。
【図４】本発明の第１実施例による乗物装置に着脱可能な下肢加圧用機器のうち、つま先加圧用ローラーを概略的に示した構成図である。
【発明を実施するための最良の形態】
【０００８】
本発明は、上部にサドルが備えられ、下部にメインギアが結合されたフレームと、前記フレームの一側に結合されたハンドル、及び使用者が回すことによって前記メインギアを回転させるペダルを含む一般的なフィットネス自転車において、一対のふくらはぎ加圧用ローラーと、一対のつま先加圧用ローラーを含み、使用者がペダルを回すに伴って使用者の下肢に一定の圧力を与えることができるようにする下肢加圧用機器を提供するものである。
【０００９】
以下、添付図面及び添付図面に記載された内容を参照して、本発明の望ましい実施例を詳細に説明するが、本発明が実施例等によって制限されたり限定されるものではない。
【００１０】
図１及び図２を参照すると、本発明の乗物装置に着脱可能な下肢加圧用機器は、一般的なフィットネス自転車に下肢加圧用機器が結合された形態を示したものであり、前記自転車の構造についてはその詳細な説明を省略し、前記自転車に結合される下肢加圧用機器について詳細に説明することにする。
【００１１】
まず、前記一般的なフィットネス自転車は、上部にサドル３００が備えられ、下部にメインギアが結合されたフレーム６００と、前記フレーム６００の一側に結合されたハンドル、及び前記使用者が回すことよって前記メインギアを回転させるペダル４１０、４２０を含む。
【００１２】
前記下肢加圧用機器は、一対のふくらはぎ加圧用ローラー１１０、１２０と、一対のつま先加圧用ローラー２１０、２２０とを含む。
【００１３】
一対のふくらはぎ加圧用ローラー１１０、１２０は、フィットネス自転車の上部垂直フレーム６００に一対の第１弾性リンク８１０、８２０によって固定され、使用者がペダルを回し、それに伴ってふくらはぎが前後上下に動くと、自ら回転しながらふくらはぎの下面を加圧する。第１弾性リンク８１０、８２０は、ふくらはぎに弾性的に加圧することができる弾性素材で形成される。
【００１４】
一対のつま先加圧用ローラー２１０、２２０は、フィットネス自転車の下部水平フレーム７００に一対の第２弾性リンク９１０、９２０によって固定され、使用者がペダルを回し、それに伴ってつま先が回転すると、つま先が接触する毎に自ら回転しながらつま先の下面を加圧する。第２弾性リンク９１０、９２０は、つま先に弾性的に加圧することができる弾性素材で形成される。
【００１５】
図３は、本発明の第１実施例による乗物装置に着脱可能な下肢加圧用機器のうち、ふくらはぎ加圧用ローラーを概略的に示した構成図である。
【００１６】
図４は、本発明の第１実施例による乗物装置に着脱可能な下肢加圧用機器のうち、つま先加圧用ローラーを概略的に示した構成図である。
【産業上の利用可能性】
【００１７】
本発明は、移動用自転車やジム用自転車のギアに結合されたペダルを回転させて運動をする場合に、乗物装置に取付けられた加圧用部材によってふくらはぎ及びつま先を加圧することができる機器に関するもので、産業上の利用可能性がある。
【図１】
2018534959.tif 000002
【図２】
2018534959.tif 000003
【図３】
2018534959.tif 000004
【図４】
2018534959.tif 000005
【国際調査報告】
2018534959.tif 000006
2018534959.tif 000007
2018534959.tif 000008
2018534959.tif 000009